(57)【要約】【課題】互いに連結される二枚の壁パネルを、その接続端において互いに寄せ合う力が作用するような接続構造とすることで、壁モールなしでも止水性を確保し、意匠性を向上するとともに、組み付け強度の向上を図る。【解決手段】第１および第２の壁パネル５、６に渡って連結材１６が背面に嵌合し、壁パネル５、６同士を連結する浴室用の壁パネルの接続構造において、連結材１６は、浴室内外方向に重ねられる内側連結材１７と、内側連結材１７に嵌合する外側連結材１８から成り、内側連結材１７の変形部２６には上下方向に間隔をおいて複数の突起部２５が設けられており、突起部２５が外側連結材１８の内壁面の当接して変形することで内側連結材１７の壁当接部２４が第１および第２の壁パネル５、６に当接し、第１および第２の壁パネル５、６同士を連結する。【選択図】図７
2019099997.tif 000002
【特許請求の範囲】
【請求項１】
二枚の壁パネルに渡って連結材が壁パネルの背面に嵌合し、壁パネル同士を連結する浴室用の壁パネルの接続構造であって、連結材は二つの連結材から構成されており、二つの連結材は浴室内外方向に重ねて設けられて、内側連結材には変形部と壁当接部が設けられており、変形部が外側連結材によって変形することで壁当接部が壁パネルに当接し、壁パネル同士が連結される構成とされていることを特徴とする浴室用の壁パネルの接続構造。
【請求項２】
請求項１に記載の浴室用の壁パネルの接続構造であって、変形部には複数の突起部が設けられており、突起部が外側連結材の内壁面に当接することで変形部が変形することを特徴とする浴室用の壁パネルの接続構造。
【請求項３】
請求項１または２に記載の浴室用の壁パネルの接続構造であって、外側連結材は突起部と同数の切欠部を有しており、切欠部は突起部と同じ間隔で設けられていることを特徴とする浴室用の壁パネルの接続構造。
【請求項４】
請求項１から３のいずれかに記載の浴室用の壁パネルの接続構造であって、外側連結材は内側連結材よりも剛性が強く構成されていることを特徴とする浴室用の壁パネルの接続構造。
【発明の詳細な説明】
【技術分野】
【０００１】
本発明は、浴室用の壁パネルの接続構造に関するものである。
【背景技術】
【０００２】
従来、隣接する壁パネルの接続する端部を、弾力性を有する部材で挟んで固定する構成は知られている。
【０００３】
例えば、隣接する一対の壁パネルの被連結端部同士をゴムパッキンを突き合わせて押圧用板バネで挟んで固定する構成が知られている（特許文献１参照）。また、隣接する一対の壁パネルの折り曲げ係止部同士を突き合わせ、クリップで挟み込んで係止して固定する構成が知られている（特許文献２参照）。
【０００４】
そして、隣接する一対の壁パネルの係止部を突き合わせ、フレーム材の弾性片で挟み込んで固定する構成が知られている（特許文献３参照）。さらに、隣接する一対の壁パネルの係合部材同士を突き合わせ、弾性を有するスタッドによって挟んで固定する構成が知られている（特許文献４参照）。
【０００５】
互いに接続すべき二枚の接続壁にそれぞれ突起を設け、二枚の接続壁を接続する連結材にそれぞれ設けられた孔に、二枚の接続壁にそれぞれ設けられた突起を嵌合させて連結する構造が知られている（特許文献５、６参照）。
【０００６】
特許文献５、６に記載の発明と同様に、連結材に設けられた孔に二枚の接続壁の突起を嵌合させる従来技術のパネルの接続構造の一例を、図８および図９において説明する。このパネルの接続構造は、図８（ａ）、（ｂ）に示すように、左右隣接された状態で配置された二枚の壁パネル５０、５１が、連結材５２（図９（ｂ）参照）によって連結される構成である。
【０００７】
二枚の壁パネル５０、５１は、それぞれその接続端に、図８（ａ）、（ｂ）、図９（ｃ）に示すように縦桟５６が設けられており、この縦桟５６には、図９（ａ）に示すように、一部に太幅部５７と細幅部５８を有するスリット５９が形成されている。
【０００８】
二枚の壁パネル５０、５１を連結する連結材５２には、二枚の壁パネル５０、５１のそれぞれのスリット５９に対応して大径部６３を有する突起６４が設けられている。連結材５２の突起６４を、縦桟５６のスリット５９の太幅部５７から挿入し、細幅部５８に位置するように連結材５２を下方に移動することで、二枚の壁パネル５０、５１を壁モール６５を挟むようにして連結材５２で連結することができる。
【先行技術文献】
【特許文献】
【０００９】
【特許文献１】実公昭５１−２２４９５号公報
【特許文献２】特開平１０−３３１２９６号公報
【特許文献３】特開２００２−３４８９９３号公報
【特許文献４】特許第３６０１４８３号公報
【特許文献５】実開昭６３−１４６００８号公報
【特許文献６】特許第３１３９３５５号公報
【発明の概要】
【発明が解決しようとする課題】
【００１０】
浴室の壁パネル連結部では、外部への水の流出防止や組み立てのバラツキを吸収する（隠す）ために、一般的には壁モールを挿入している。しかしながら、意匠性の向上という観点からすると、壁モールを設けない方が好ましい。
【００１１】
また、止水性および意匠性の観点からすると、連結される壁パネル同士が互いに寄せ合う力が作用する構造とし、両者の隙間をなるべく小さくし、さらに組み付け強度を向上する構成とすることが好ましい。
【００１２】
特許文献１〜４に記載されている隣接する壁パネルの接続する端部を、弾力性を有する部材で挟んで固定する構成は、弾力性を有する部材を保持する別の部材（例えば、特許文献１〜４における、板バネ保持部、連結部材、固定具、補強材等）が必要であり、部品点数が多くなり、必ずしも構造的には簡単とは言えない。
【００１３】
図８、図９等に示す従来技術の接続構造では、互いに連結される二枚の壁パネル５０、５１が互いに寄せ合う力が作用するような構造ではないので、止水性を確保するために、二枚の壁パネル５０、５１の間に壁モール６５を配置しなくてはならず、意匠性の向上および構造を簡単にするという点からすると、さらに工夫を要する。
【００１４】
本発明は上記従来の問題を解決することを目的とするものであり、互いに連結される二枚の壁パネルを、その接続端において互いに寄せ合う力が作用するような浴室用の壁パネルの接続構造とすることで、壁モールなしでも止水性をおよび意匠性を向上させるとともに、組み付け強度の向上を図ることを課題とする。
【課題を解決するための手段】
【００１５】
本発明は上記課題を解決するために、二枚の壁パネルに渡って連結材が壁パネルの背面に嵌合し、壁パネル同士を連結する浴室用の壁パネルの接続構造であって、連結材は二つの連結材から構成されており、二つの連結材は浴室内外方向に重ねて設けられて、内側連結材には変形部と壁当接部が設けられており、変形部が外側連結材によって変形することで壁当接部が壁パネルに当接し、壁パネル同士が連結される構成とされていることを特徴とする浴室用の壁パネルの接続構造を提供する。
【００１６】
変形部には複数の突起部が設けられており、突起部が外側連結材の内壁面に当接することで変形部が変形することが好ましい。
【００１７】
外側連結材は突起部と同数の切欠部を有しており、切欠部は突起部と同じ間隔で設けられていることが好ましい。
【００１８】
外側連結材は内側連結材よりも剛性が強く構成されていることが好ましい。
【発明の効果】
【００１９】
本発明によれば、二枚の壁パネル同士を連結する連結材を、室内外方向に重ねて設けられる内側連結材と外側連結材から構成し、外側連結材によって内側連結材の変形部を変形することで内側連結材の壁当接部を壁パネルに当接する構成としたので、壁パネル同士を寄せて連結することができ、壁モールが不要となる。
【図面の簡単な説明】
【００２０】
【図１】本発明に係る浴室用の壁パネルの接続構造によって組み立てられた浴室ユニットの壁パネルの浴室内側を示す図であり、斜め上方から浴室ユニット内を通して浴室ユニットの床の上面を見下ろすように見た斜視図である。
【図２】本発明に係る浴室用の壁パネルの接続構造によって連結される二枚の壁パネルを、隣接して直線的に配置した状態を示す図であり、（ａ）は背面側から見た図であり、（ｂ）は平面図である。
【図３】本発明に係る浴室用の壁パネルの接続構造の実施例において、内側連結材を説明する図であり、（ａ）は内側連結材の上部の斜視図であり、（ｂ）平面図であり、（ｃ）は突起部を説明する斜視図であり、（ｄ）は内側連結材の背面側に外側連結材が嵌合し重ねた場合に内側連結材の変形部が変形する状態を示す要部平面図である。なお、（ａ）は内側連結材の上部しか示していないが、下部も同様の構成である。
【図４】上記実施例において、外側連結材を説明する図であり、（ａ）は外側連結材の上部の斜視図であり、（ｂ）平面図である。なお、（ａ）は外側連結材の上部しか示していないが、下部も同様の構成である。
【図５】上記実施例において、連結材の構成を説明する図であり、第１の壁パネルと第２の壁パネルを横並びで直線的に連結する作業工程において、内側連結材の背面側に外側連結材を嵌合し重ねた状態を示す図であり、（ａ）は斜視図であり、（ｂ）平面図である。
【図６】上記実施例において、連結材の構成を説明する図であり、第１の壁パネルと第２の壁パネルを横並びで直線的に連結した状態における、内側連結材と外側連結材を示す図であり、（ａ）は斜視図であり、（ｂ）平面図である。
【図７】上記実施例において、第１の壁パネルと第２の壁パネルを横並びで直線的に連結する作業の手順を説明する平面図であり、（ａ）は起立部同士を対向させて仮設置した第１の壁パネルと第２の壁パネルの背面側に、外側連結材が嵌合された内側連結材を配置した状態を示し、（ｂ）は第１の壁パネルと第２の壁パネルを連結した状態を示す図である。
【図８】従来の連結される二枚の壁パネルを隣接配置した状態を示し、（ａ）は背面側から見た図であり、（ｂ）は背面側から見た斜視図を示す。
【図９】従来の接続構造を示す図であり、（ａ）は縦桟を背面側から見た図であり、（ｂ）は連結材を正面側から見た斜視図であり、（ｃ）は接続構造の平面図を示している。
【発明を実施するための形態】
【００２１】
本発明に係る浴室用の壁パネルの接続構造を実施するための形態を実施例に基づき図面を参照して、以下説明する。
【実施例】
【００２２】
本発明に係る浴室用の壁パネルの接続構造の実施例を説明する。本明細書では、壁パネルは、浴室ユニットの壁を構成する壁パネルを例として説明する。
【００２３】
壁パネルを設置する浴室ユニット１の床は、床パンまたはそれに類する壁積載部材であり、この実施例では、床パンまたはそれに類する壁積載部材として、図１に示すように、浴槽床２と洗い場床３から成る床４とする。
【００２４】
この実施例では、浴室ユニット１の床４の上に、図１に示すように、互いに直線的に横並びされて隣接する第１の壁パネル５と第２の壁パネル６が連結されて設置され、さらに、第１の壁パネル５に対して直角にコーナー部を介して第３の壁パネル７が連結されて設置される。
【００２５】
図２（ａ）、（ｂ）は、横並びで直線的に連結（平継ぎ）される二枚の壁パネルを示している。この実施例では、本明細書では、壁パネルおよび連結材等について、浴室内側を正面側とも言い、浴室外側を背面側とも言う。また、本明細書での左右については、浴室内側（正面側）から見て、左右側をそれぞれ左右側と言う。
【００２６】
図２（ａ）、（ｂ）において、第１の壁パネル５と第２の壁パネル６が、互いに連結される側端部が対面するように、隣接して並べた状態を示している。第１の壁パネル５と第２の壁パネル６は、図２（ｂ）に示すように、それぞれその側端部において背面側に直角に折り曲げられた略Ｌ字形の起立部８が形成されている。        
【００２７】
図２（ｂ）に示すように、第１の壁パネル５の起立部８と第２の壁パネル６の起立部８のいずれかまたは両方の対向面に、壁モールに較べて構造が簡単な止水パッキン９を装着する。
【００２８】
このように止水パッキン９を装着すると、後記するが、第１の壁パネル５と第２の壁パネル６が連結される際には、図７（ｂ）に示すように、第１の壁パネル５の起立部８と第２の壁パネル６の起立部８の間に止水パッキン９が挟持されて、従来技術のような壁モールを設けなくても、止水性を向上させることが可能となる。
【００２９】
第１の壁パネル５と第２の壁パネル６は、図５、図６に示すような連結材１６で連結される。具体的には、連結材１６は、第１の壁パネル５と第２の壁パネル６に渡ってこれら二枚の壁パネル５、６の背面に嵌合し、図７（ｂ）に示すように、第１の壁パネル５と第２の壁パネル６を連結する。
【００３０】
詳細は後記するが、第１の壁パネル５と第２の壁パネル６を横並びで直線的に連結する際に、内側連結材１７は、図７（ａ）に示すように、第１の壁パネル５の起立部８と第２の壁パネル６の起立部８を左右から挟む位置に配置する。そして、内側連結材１７の背面側に外側連結材１８嵌合して重ね、内側連結材１７によって第１の壁パネル５と第２の壁パネル６の起立部８を挟持する。
【００３１】
内側連結材１７は、弾性を有する金属板、樹脂板等の材料で形成されており、図３（ａ）、（ｂ）に示すように、背部２１と、背部２１の左右両端から正面側に向けて折り曲げられた左右の側部２２と、左右の側部２２から互いに向き合いかつ間隔をおいて形成された左右の正面部２３と、左右の正面部２３から背部２１に向けて折り曲げられた左右の壁当接部２４と、を備えている。
【００３２】
左右の側部２２における前後方向の略中央部２６には、図３（ａ）に示すように、上下方向に間隔をおいて複数の突起部２５が形成されている。後記するが、内側連結材１７の背面側に外側連結材１８を嵌合して重ねると、図３（ｄ）、図７（ｂ）に示すように、突起部２５が外側連結材１８の内壁面の当接部に当接することで、左右の側部２２は、左右外側から内側へ外力が作用されて内側に変形する。                       
【００３３】
このようなことを考慮し、左右外側から内側へ外力が作用されて内側に変形する左右の側部２２は、本明細書および本発明では「変形部」ともいう。以下、内側連結材１７の左右の側部２２は、それぞれ変形部と表現し、変形部は側部２２と同じ符号２２を付ける。
【００３４】
突起部２５は、いろいろな構造が考えられるが、本実施例の突起部２５は、図３（ｃ）に示すように、変形部２２に上下方向に平行して二本の切り込み２７を入れ、二本の切り込み２７の間の部分を外側に押圧し、正面視で略へ字形に突出するように変形させて形成された構成である。その他、変形部２２に絞り加工によって、外側に向けて凸状に盛り上がるように形成された突起部等の構造でも良い。
【００３５】
外側連結材１８は、内側連結材１７よりも剛性が強くなるように形成されている。例えば、外側連結材１８は、内側連結材１７より剛性の強い材質の金属板、樹脂板等の材料で形成されている、あるいは内側連結材１７と剛性は同じ材質でも、より厚さの厚い材料で形成されている。
【００３６】
外側連結材１８は、平面視で図４（ａ）、（ｂ）に示すように凹字形をしており、背部３１と左右の側部３２から成る。外側連結材１８の左右の側部３２には、それぞれ内側連結材１７の突起部２５に対応して同数の切欠部３３が設けられている。切欠部３３は、左右の側部３２の長手方向（上下方向）に突起部２５と同じ間隔で設けられている。切欠部３３は、突起部２５が嵌入する大きさに形成されている。
【００３７】
なお、後記する作用の説明においても記載するが、第１の壁パネル５と第２の壁パネル６を連結すると、内側連結材１７の突起部２５は、外側連結材１８の側部３２の内壁面に当接する。この当接している箇所を、本明細書および本発明においては、外側連結材１８の内壁面の「当接部」と言う。このような当接部に対する関係では、切欠部３３は、外側連結材１８の内壁面の当接部の近傍の位置に、突起部２５と同じ間隔で設けられている。
【００３８】
（作用）
以上の構成から成る連結材１６を使用した本願発明に係る浴室用の壁パネルの接続構造をより明確にするために、内側連結材１７および外側連結材１８によって、第１の壁パネル５と第２の壁パネル６を、横並びで直線的に連結する作業手順とその結果得られる浴室用の壁パネルの接続構造について、以下説明する。
【００３９】
まず、図２（ｂ）に示すように、第１の壁パネル５と第２の壁パネル６を、それぞれ起立部８を互いに対面した状態とし、浴室パン等の床４上に仮設置する。次に、図５（ａ）に示すように、外側連結材１８を、内側連結材１７の背面側に嵌合して重ね、内側連結材１７の複数の突起部２５を、それぞれ外側連結材１８の切欠部３３内に嵌入する。
【００４０】
そして、外側連結材１８を嵌合した状態の内側連結材１７を、図７（ａ）に示すように、その左右の壁当接部２４の間に、第１の壁パネル５の起立部８と第２の壁パネル６の起立部８が位置するようにして、左右の起立部８を背面側から囲うように配置する。
【００４１】
次に、図５（ａ）の矢印Ｙに示すように、木槌等によって内側連結材１７を下方に叩き、内側連結材１７を外側連結材１８内で下方移動させる。このように内側連結材１７を下方に移動させると、左右の突起部２５は、左右の切欠部３３から外側連結材１８の左右の側部３２の内壁面側に入り込む。すると、左右の突起部２５は、外側連結材１８の左右の側部３２の内壁面に対して、押圧力を作用する。                            
【００４２】
しかし、外側連結材１８は、内側連結材１７より剛性が強いために、外側連結材１８は、突起部２５によって押圧力が作用されても変形することはなく、押圧力は内側連結材１７に対して内側方向（左右中心方向）への反力として作用する。この反力は、内側連結材１７の左右の変形部２２に対して内側へ作用し、左右の変形部２２を、その弾力に抗して互いに近づく左右の中心側に向けて変形させる。
【００４３】
そのため、内側連結材１７は、左右の変形部２２が互いに近づく内側に向けて変形し、左右の突起部２５が外側連結材１８の内壁面に当接した状態で、外側連結材１８内を下方に摺動することが可能となる。
【００４４】
このようにして、内側連結材１７を外側連結材１８内で下方に摺動させて、図６（ａ）に示すように、内側連結材１７と外側連結材１８の上端が揃い、しかも左右の突起部２５が外側連結材１８の内壁面の当接部と当接している状態とする。
【００４５】
この図６（ａ）の状態では、内側連結材１７の左右の突起部２５が、外側連結材１８の左右の側部３２の内壁面の当接部に当接しているために、図３（ｄ）、図６（ａ）、（ｂ）、図７（ｂ）に示すように、内側連結材１７の左右の変形部２２は内側に押圧され変形した状態を維持する。
【００４６】
これによって、図７（ｂ）に示すように、内側連結材１７の左右の壁当接部２４は、それぞれ第１の壁パネル５の起立部８および第２の壁パネル６の起立部８に当接して、二つの起立部８同士を止水パッキン９を介して互いに押圧して密着した状態とし、第１の壁パネル５と第２の壁パネル６を、図７（ｂ）の矢印Ｘに示すように寄せ合って連結する。
【００４７】
上記のとおり、この浴室用の壁パネルの接続構造では、内側連結材１７は、その左右の変形部２２が外側連結材１８によって左右の突起部２５を介して内側に変形し、左右の壁当接部２４によって、第１の壁パネル５の起立部８と第２の壁パネル６の起立部８を左右から付勢して挟みつけ、止水パッキン９を介して互いに密着させる構成である。
【００４８】
そのために、この浴室用の壁パネルの接続構造では、従来技術のような壁モールを設けなくても、図２（ｂ）、図７（ａ）、（ｂ）に示すように、簡単な止水パッキン９を起立部８に装着するだけで、止水効果が生じるとともに、第１の壁パネル５の起立部８と第２の壁パネル６の起立部８の隙間が小さくなって目立たないので、自然に繋がっているようになり、意匠性が向上する。
【００４９】
なお、内側連結材１７には複数の突起部２５を設け、外側連結材１８には複数の切欠部３３設け、突起部２５は切欠部３３内に嵌合可能としたので、内側連結材１７と外側連結材１８は、互いに一挙に相対的にスライドするようなことがなく、小槌等で叩いて、内側連結材１７を外側連結材１８内に徐々に挿入して行くことが可能となる。
【００５０】
以上、本発明に係る浴室用の壁パネルの接続構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５１】
本発明に係る浴室用の壁パネルの接続構造は上記のような構成であるから、浴室の壁パネル、その他、止水性、密封性を要する浴室用の壁パネルの接続構造にも適用可能である。
【符号の説明】
【００５２】
１  浴室ユニット                   
２  浴槽床                         
３  洗い場床                       
４  床                             
５  第１の壁パネル                 
６  第２の壁パネル                 
７  第３の壁パネル                 
８  起立部                         
９  止水パッキン                     
１６  連結材                         
１７  内側連結材                     
１８  外側連結材                     
２１  内側連結材の背部               
２２  内側連結材の左右の側部（変形部）         
２３  内側連結材の正面部             
２４  内側連結材の壁当接部                       
２５  内側連結材の突起部
２６  内側連結材の左右の側部（変形部）の略中央部
２７  切り込み                     
３１  外側連結材の背部               
３２  外側連結材の左右の側部               
３３  外側連結材の切欠部
５０、５１  壁パネル
５２  連結材
５６  縦桟
５７  太幅部
５８  細幅部
５９  スリット
６３  大径部
６４  突起
６５  壁モール 
【図１】
2019099997.tif 000003
【図２】
2019099997.tif 000004
【図３】
2019099997.tif 000005
【図４】
2019099997.tif 000006
【図５】
2019099997.tif 000007
【図６】
2019099997.tif 000008
【図７】
2019099997.tif 000009
【図８】
2019099997.tif 000010
【図９】
2019099997.tif 000011